(57)【要約】      （修正有）【課題】持続的に圧迫して筋肉に刺激を与えたり、血液やリンパ液の流動循環を促進させるマッサージ器具を提供する。【解決手段】左右一対の挟圧体２、2aを対向間隔Ｈを設定自在に対向配置し、挟圧体２、2aの挟圧主部４の先端側に内方湾曲したアーチ部５を形成し、挟圧時に一対の挟圧主部４の対向間隔Ｈが保持される連結手段３を設けることによって、装着するだけで圧迫力を保持する。【選択図】図１
2006136361.tif 000002
【特許請求の範囲】
【請求項１】
左右一対の挟圧体を対向間隔を設定自在に対向配置し、挟圧体の挟圧主部の先端側に内
方湾曲したアーチ部を形成し、挟圧時に一対の挟圧主部の対向間隔が保持される連結手段
を設けたことを特徴とするマッサージ器具。
【請求項２】
一対の挟圧体の基端側内方に連結部を夫々形成し、一方の連結部に設けた連結枠体内に
他方の連結部を挿通自在と成すと共に、連結枠体内で他方の連結部を若干角度傾動して係
止自在と成したことを特徴とする請求項１記載のマッサージ器具。
【請求項３】
連結枠体内の中途部まで一方の連結部を挿入固着したことを特徴とする請求項２記載の
マッサージ器具。
【発明の詳細な説明】
【技術分野】
【０００１】
本発明は、持続的に圧迫して筋肉に刺激を与えたり、血液やリンパ液の流動循環を促進
させるマッサージ器具に関する。
【背景技術】
【０００２】
従来、自分自身で出来るマッサージ器具としては圧迫法や叩打法のものがあるが、手で
持ったマッサージ器具を患部や筋肉に強く押し当て、その状態を保持する必要があったり
、連続的に手および腕を振り続けねばならず、手や腕に疲労感が発生し、十分なマッサー
ジ作用を得ることが出来なかった。
【０００３】
研究開発段階や出願段階で先行技術調査を行っておらず、記載すべき先行技術文献を知
りません。
【発明の開示】
【発明が解決しようとする課題】
【０００４】
解決しようとする問題点は、手および腕による圧迫動作や振り降ろし動作では長時間の
マッサージが出来ない点である。
【課題を解決するための手段】
【０００５】
本発明は、上記従来技術に基づく、圧迫や振り降ろしを保持継続する必要がある課題に
鑑み、左右一対の挟圧体を対向間隔を設定自在に対向配置し、挟圧体の挟圧主部の先端側
に内方湾曲したアーチ部を形成し、挟圧時に一対の挟圧主部の対向間隔が保持される連結
手段を設けることによって、装着するだけで圧迫力を保持する様にして、上記課題を解決
する。
【発明の効果】
【０００６】
要するに本発明は、左右一対の挟圧体を対向間隔を設定自在に対向配置したので、対向
間隔の設定量で圧迫強度を自由自在に所望強度とすることが出来、又挟圧体の挟圧主部の
先端側に内方湾曲したアーチ部を形成したので、頸部等の身体両側を挟圧主部で挟圧する
他、アーチ部で一部周辺部分も挟圧することが出来ると共に、係止状態となってマッサー
ジ器具が落下せず、把持操作不要で装着状態を保持することが出来、又挟圧時に一対の挟
圧主部の対向間隔が保持される連結手段を設けたので、所望圧迫強度を設定する対向間隔
を把持操作不要で保持することが出来る。
よって、所望圧迫強度で頸部等の身体に装着することにより、把持操作等が一切不要で
圧迫によるマッサージ作用を得ることが出来、更に装着状態で日常作業を行うことが出来
たり、軽運動で刺激を増加してマッサージ作用を向上することが出来る。
【０００７】
一対の挟圧体の基端側内方に連結部を夫々形成し、一方の連結部に設けた連結枠体内に
他方の連結部を挿通自在と成したので、簡易構成で連結手段を形成することが出来、又連
結枠体内で他方の連結部を若干角度傾動して係止自在と成したので、挟圧主部等による圧
迫反力で連結手段の間隔保持機能を簡易構成で達成することが出来る。
【０００８】
連結枠体内の中途部まで一方の連結部を挿入固着したので、一方の連結部に当接させて
他方の連結部を連結枠体内で位置決めし、一対の挟圧体を装着準備状態にセットして頸部
等への身体装着を容易に行うことが出来る等その実用的効果甚だ大である。
【発明を実施するための最良の形態】
【０００９】
以下、本発明の一実施形態を図面に基づいて説明する。
本発明に係るマッサージ器具１は、図１に示す様に、左右一対の挟圧体２、2aを対向配
置すると共に、左右一対の挟圧体２、2aの対向間隔Ｈを設定自在に連結手段３で分離自在
に一体化したものである。
一対の挟圧体２、2aは装着時に略平行となる直線状の挟圧主部４の先端側に湾曲部およ
び直線部から成るアーチ部５を内方湾曲状に形成して、頸部などの身体を挟圧主部４およ
びアーチ部５の一部で圧迫する様に成し、又挟圧主部４の基端側に延設部６を介し、内方
側に連結部７、7aを夫々形成している。
【００１０】
左右一対の挟圧体２、2aの連結部７、7aの連結手段３としては、一方の連結部７に四角
筒状の連結枠体８を設けると共に、該連結枠体８内部の挿通空間９に他方の連結部7aを挿
通自在と成している。
尚、挟圧主部４およびアーチ部５、好ましい形態として延設部６を含み、板材に緩衝体
10を巻装し、細板状の連結部７、7aを延設部６から内方折曲で一体形成しているが、後述
する様に、左右一対の挟圧体２、2aの対向間隔Ｈを設定保持可能であれば、挟圧体２、2a
および連結手段３の形状は問わない。
【００１１】
上記の連結手段３の具体的構成は、一方の連結部７に設けた連結枠体８は四角筒状であ
り、連結枠体８の挿通空間９に一方の連結部７の先端を中途部まで挿入して連結枠体８の
一方の内壁面8aに固定し、一方の連結部７の外面（非固定面）と連結枠体８の他方の内壁
面8bの間を挿通空間９と成し、更に一方の連結部７が挿入された中途部以降の先端側空間
を当接空間11と成している。
又、連結枠体８の挿通空間９の幅は他方の連結部7aの幅より大きくしており、連結枠体
８に他方の連結部7aが挿通された時に、幅方向で若干量の間隙12が形成されており、挿通
空間９内で他方の連結部7aが挿通スライド自在と成すと共に、図２、３に示す様に、他方
の連結部7aが挿通空間９および当接空間11内で若干量傾動自在と成している。
【００１２】
尚、一方の連結部７を連結枠体８内に挿通固定したが、連結部７を連結枠体８の外部に
取付けても良く、その場合、挿通空間９は連結枠体８の両内壁面8a、8bの間と成り、その
場合でも他方の連結部7aが挿通された時に挿通空間９内に間隙12を有する様にしている。
【００１３】
次に、本発明に係るマッサージ器具の作用について説明するが、最初に、装着状態およ
びそのマッサージ作用を説明し、続いて、着脱方法、挟圧状態を順次説明する。
又、本発明に係るマッサージ器具１は、頸部、脚部、腕部などの身体各部に装着可能で
あり、その一例として頭重や肩凝りにも効果を有する頸部への装着例を説明する。
例えば、頭部は相当の重量があって、肩部の筋肉にも相当な影響を及ぼしており、又筋
肉疲労、肩凝り等の原因である血流やリンパ流も多い頸部へマッサージ器具１を装着して
、頭重や肩凝り等を軽減、解消する装着例を説明する。
【００１４】
図示していないが、頸部への装着状態では、頸部両側および頸部両側から続く後頸部の
一部を左右一対の挟圧体２、2aの挟圧主部４およびアーチ部５の一部で圧迫し、前頸部お
よび項窩周辺の後頸部を圧迫しておらず、頸部両側近傍の筋肉を中心に圧迫しており、連
結手段３は顎下に位置している。
装着時には、挟圧主部４で圧迫する反力（後述参照）やアーチ部５が後頸部等に係止し
てマッサージ器具１は頸部から脱落しないので、両手が空いて日常作業をすることも可能
であるが、好ましくは約３０分間装着し、頸部の前後傾動、回転運動、ストレッチ運動等
の軽運動を行い、圧迫部位、方向等が変化し筋肉への刺激作用を増強させることが好まし
い。
【００１５】
次に、器具装着によるマッサージ作用を、その前提を含めて説明する。
日常生活によって筋肉疲労や筋肉硬直が起きて血管やリンパ管を圧迫して細くなり、血
流やリンパ流が悪くなって頭痛、肩凝り等の自覚症状が発生している。
本発明によるマッサージ器具１の装着により、筋肉を圧迫したり刺激し、或いは、軽運
動の併用で刺激等を増大し、取外すことにより筋肉が弛緩して、血管やリンパ管が広がり
、血流やリンパ流が上昇し、肩凝り等が軽減、解消する。
圧迫による筋肉刺激を繰り返すことにより、筋肉が柔らかくなって、本来の機能を取り
戻し、血管やリンパ管が本来の太さになり、血流やリンパ流も本来の流量に復活し、肩凝
り等の自覚症状が無くなる。
【００１６】
装着方法としては、図２（ａ）の実線で示す様に、左右一対の挟圧体２、2aの延設部６
の緩衝体10と連結部７、7aの角部を掌で包むと共に、緩衝体10に指を当てがう様に両手で
持ち、アーチ部５先端の挿入間隔Ｓを拡開すると共に、他方の連結部7aの先端を連結枠体
８内の当接空間11に挿通して、内壁面8aおよび一方の連結部７の先端に当接させる。
そして、挟圧体２、2aにおけるアーチ部５の挿入間隔Ｓを頸部に挿通し、後頸部でアー
チ部５先端同志を近接させる様に若干量傾動させると、一点鎖線で示す様に、一方の連結
部７等に当接していた他方の連結部7aの先端は当接状態が解除されて連結枠体８内の挿通
空間９に入り込む。
略平行となった挟圧体２、2aを両側から押し込むことにより、挿通空間９内で他方の連
結部7aがスライド進行して、所望圧力で頸部両側を圧迫し、挟圧体２、2aから両手を離す
。
【００１７】
マッサージ器具１の挟圧体２、2aから両手を離した装着挟圧状態では、図２（ｂ）の実
線から一点鎖線への動きで示す様に、挟圧体２、2aの中間部や先端側の挟圧主部４および
アーチ部５は、頸部への圧迫反力で拡開方向力が作用することにより、左右一対の挟圧体
２、2aの連結個所（連結手段３）では、他方の連結部7aが連結枠体８内で係止され、左右
一対の挟圧体２、2aの対向間隔Ｈが保持される。
詳細には、他方の連結部7aが連結枠体８の挿通空間９内で若干量傾動し、適宜個所（他
方の連結部7aの先端や外面中途部と一方の連結部７外面や連結枠体８の内壁面8b）の接触
摩擦による係止により、図３（ａ）に示す様に、圧迫反力による拡開力に抗して他方の連
結部7aが引き出されず、挟圧主部４およびアーチ部５による圧迫状態が保持される。
【００１８】
マッサージ作用を終了して取り外す時は、図３（ｂ）に示す様に、後頸部で浮き上がり
状態のアーチ部５先端の挿入間隔Ｓを片手でゆっくり弱く狭めれば、係止状態であった一
対の連結部７、7a同志が略平行から逆方向傾動状態（図中、一点鎖線）となった瞬間に、
摩擦係止が解除されて、二点鎖線で示す様に、他方の連結部7aが連結枠体８の挿通空間９
内から抜け出し、左右一対の挟圧体２、2aは分離され、マッサージ器具１を頸部から取り
外す。
尚、延設部６と連結部７、7aの角部に両手を当てがい、傾動、引出して取外操作するこ
とも出来る。
【図面の簡単な説明】
【００１９】
【図１】本発明に係るマッサージ器具の正面断面図である。
【図２】装着時における連結手段の状況を示す部分断面図である。
【図３】挟圧時および取外時における連結手段の状況を示す部分断面図である。
【符号の説明】
【００２０】
２、2a  挟圧体
３      連結手段
４      挟圧主部
５      アーチ部
７、7a  連結部
８      連結枠体
９      挿通空間
12      間隙
Ｈ      対向間隔
【図１】
2006136361.tif 000003
【図２】
2006136361.tif 000004
【図３】
2006136361.tif 000005